(57)【特許請求の範囲】
【請求項１】
建物の軸組に取り付けられ、外壁パネルと当該外壁パネルの裏面を覆う断熱パネルとを有する複合パネルであって、
前記断熱パネルは、前記外壁パネルの裏面への固定状態が保たれた固定片と、前記固定片と連結され前記固定片側への折り返しが自在な折り返し片とを有し、
前記外壁パネルの裏面には、前記軸組に固定するための固定部が設けられ、
前記断熱パネルの折り返し片は、前記外壁パネルの裏面において前記固定部のない領域に形成されている、複合パネル。
【請求項２】
外壁パネルと、当該外壁パネルの裏面を覆う断熱パネルを有する複合パネルを建物の軸組に取り付ける方法であって、
前記断熱パネルの一部を折り返し前記外壁パネルの裏面の一部を露出させ、当該外壁パネルの露出部分に吊りベルトを巻き付ける工程と、
前記吊りベルトにより前記外壁パネルを吊り上げて移動させ、前記軸組の複合パネル支持部で支持させる工程と、
前記吊りベルトを取り外す工程と、
前記断熱パネルの折り返された部分を元に戻し前記外壁パネルの裏面の前記露出部分を覆う工程と、
前記外壁パネルを前記軸組に固定する工程と、を有する、複合パネルの取り付け方法。
【発明の詳細な説明】
【技術分野】
【０００１】
本発明は、外壁パネルと断熱パネルとを有する複合パネル及び複合パネルの取り付け方法に関する。
【背景技術】
【０００２】
従来より、柱梁等の軸組に鉄骨部材を用いた鉄骨造建物において、外壁パネル裏面に沿って断熱材を配置することが行われている。
【０００３】
この際、熱橋による断熱性の低下を防止する為に、外壁パネルが軸組を構成する柱や梁などと近接する部位も含め全面的に軸組の外側に断熱層を構成する（すなわち外貼り断熱工法とする）のが好ましい。
【０００４】
一般に断熱材は繊維質材料や発泡性材料からなり、圧縮強度が低い。従って、スチール等金属製の枠体の中に断熱材を充填し断熱材に圧縮力が作用しないようにする工法が提案されている（例えば特許文献１、２）。
【０００５】
しかしながら、このような枠体を設ける工法では、枠体が熱橋を形成してしまうという問題や、枠体の使用がコスト増に繋がるという問題がある。
【０００６】
一方、本件出願人は、特許文献３において、枠体を用いることなく外貼り断熱工法を実現する、軸組への断熱材の取付構造を提案している。
【先行技術文献】
【特許文献】
【０００７】
【特許文献１】特開平７−２８６４０４号公報
【特許文献２】特開平１０−１２１６４９号公報
【特許文献３】特開２００５−０３６５８３号公報
【発明の概要】
【発明が解決しようとする課題】
【０００８】
上記断熱材の取付構造の施工では、予め工場等で外壁パネルと断熱パネルとを一体化し複合パネルを形成しておき、建築現場にて、複合パネルにベルトを巻き付け、クレーンで吊り上げて、建物の軸組に取り付けるという工法が考えられる。このような複合パネル単位で取り付ける工法は、現場作業の省力化と施工品質の均一化を図る上で有効である。しかしながら、この工法を採用した場合、複合パネルを吊り上げた際にクレーン用の吊りベルトで断熱パネルの側端部が押しつぶされ圧壊する恐れがある。
【０００９】
本発明はかかる点に鑑みてなされたものであり、複合パネルを建物の軸組に取り付ける際の断熱パネルの圧壊を防止することをその目的とする。
【課題を解決するための手段】
【００１０】
上記目的を達成するための本発明は、建物の軸組に取り付けられ、外壁パネルと当該外壁パネルの裏面を覆う断熱パネルとを有する複合パネルであって、前記断熱パネルは、前記外壁パネルの裏面への固定状態が保たれた固定片と、前記固定片と連結され前記固定片側への折り返しが自在な折り返し片とを有し、前記外壁パネルの裏面には、前記軸組に固定するための固定部が設けられ、前記断熱パネルの折り返し片は、前記外壁パネルの裏面において前記固定部のない領域に形成されている、複合パネルである。
【００１１】
本発明によれば、複合パネルの軸組への取り付け作業において、断熱パネルの折り返し片を折り返して、その外壁パネルの露出部分に吊りベルトを巻き付けることができるので、吊り上げた際に吊りベルトにより断熱パネルが圧壊することを防止できる。
【００１２】
前記外壁パネルの裏面には、前記軸組に固定するための固定部が設けられ、前記断熱パネルの折り返し片は、前記外壁パネルの裏面における前記固定部のない領域に形成されているので、断熱パネルの折り返し片を、固定部と干渉することなく容易に折り返すことができる。
【００１３】
別の観点による本発明は、外壁パネルと、当該外壁パネルの裏面を覆う断熱パネルを有する複合パネルを建物の軸組に取り付ける方法であって、前記断熱パネルの一部を折り返して前記外壁パネルの裏面の一部を露出させ、当該外壁パネルの露出部分に吊りベルトを巻き付ける工程と、前記吊りベルトにより前記外壁パネルを吊り上げて移動させ、前記軸組の複合パネル支持部で支持させる工程と、前記吊りベルトを取り外す工程と、前記断熱パネルの折り返された部分を元に戻して前記外壁パネルの裏面の前記露出部分を覆う工程と、前記外壁パネルを前記軸組に固定する工程と、を有する。
【００１４】
本発明によれば、吊りベルトを断熱パネルのない部分に巻き付けることができるので、施工時の断熱パネルの圧壊を防止できる。
【発明の効果】
【００１５】
本発明によれば、断熱パネルの圧壊が防止されるため、均質で質の高い複合パネルからなる外壁を有する建物を建築できる。
【図面の簡単な説明】
【００１６】
【図１】（ａ）は、複合パネルの正面図であり、（ｂ）は、複合パネルの側面図である。
【図２】上部断熱パネルが下部断熱パネルに対し折り返された様子を示す複合パネルの説明図である。
【図３】上部断熱パネルが下部断熱パネルに対し折り返された様子を示す複合パネルの説明図である。
【図４】外壁パネルの上部領域に吊りベルトを巻き付けた様子を示す複合パネルの説明図である。
【図５】軸組の複合パネル支持部で支持させた様子を示す複合パネルの説明図である。
【図６】上部断熱パネルを正規の状態に戻した様子を示す複合パネルの説明図である。
【図７】外壁パネルを軸組に取り付けた様子を示す複合パネルの説明図である。
【図８】複合パネルが並べて設けられた壁面を示す説明図である。
【図９】圧壊防止部材の取り付け位置を示す複合パネルの説明図である。
【図１０】複合パネルの中央部の圧壊防止部材の構成を示す説明図である。
【図１１】複合パネルの両端部の圧壊防止部材の構成を示す説明図である。
【図１２】中間断熱パネルを折り返し自在にする場合の複合パネルの正面図である。
【図１３】断熱パネルを横方向に分割する場合の複合パネルの正面図である。
【発明を実施するための形態】
【００１７】
以下、図面を参照して、本発明の好ましい実施の形態について説明する。図１は、本実施の形態に係る複合パネル１の構成の概略を示す説明図である。図１（ａ）は、複合パネル１の正面図であり、図１（ｂ）は、複合パネル１の側面図である。
【００１８】
本実施形態における建物は、例えば３０５ｍｍの平面モジュールＭを有する鉄骨造の工業化住宅である。複合パネル１は、建物の柱梁などからなる軸組に複数連接するように取り付けられ、建物の壁面を構成する。複合パネル１は、外壁パネル１０と、外壁パネル１０の裏面の全面を覆う断熱パネル１１を有している。
【００１９】
外壁パネル１０は、例えば軽量気泡コンクリートからなる。例えば外壁パネル１０の長さは、階高（下部梁天端から上部梁天端までの寸法）にほぼ等しく、幅寸法は基本的にＭ×１（３０５ｍｍ）とＭ×２（６１０ｍｍ）の２種類ある。
【００２０】
外壁パネル１０の裏面には、建物の軸組に固定するための下部固定部としての下部ボルト２０と、上部固定部としての上部ボルト２１が取り付けられている。下部ボルト２０及び上部ボルト２１は、外壁パネル１０の裏面に対して垂直方向に立設されている。下部ボルト２０及び上部ボルト２１は、外壁パネル１０に埋め込まれた埋め込みナット２２（図１０に示す）に捻じ込まれて固定されている。
【００２１】
断熱パネル１１は、例えばフェノール樹脂発泡体（フェノールフォーム）の両面にポリエステル不織布を張り合わせたものである。断熱パネル１１の全体の幅寸法及び高さ寸法は、外壁パネル１０の幅寸法及び高さ寸法とほぼ等しく対応している。
【００２２】
断熱パネル１１は、例えば固定片としての下部断熱パネル３０と折り返し片としての上部断熱パネル３１とからなる。下部断熱パネル３０は、外壁パネル１０の裏面の下部ボルト２０と上部ボルト２１を含む下部領域１０ａを覆い、上部断熱パネル３１は、上部ボルト２１より上方の上部領域１０ｂを覆っている。
【００２３】
下部断熱パネル３０は、外壁パネル１０の裏面にタッカー等で固定されている。上部断熱パネル３１は、図２に示すように裏面側（外壁パネル１０の反対側）において粘着テープなどの連結片で連結され、直線状の連結部Ｃを軸として下部断熱パネル３０に対して折り返し自在になっている。上部断熱パネル３１を折り返したときには外壁パネル１０の裏面の上部領域１０ｂが露出し、上部断熱パネル３１を展開して正規の位置に戻したときには当該上部領域１０ｂが覆われる。
【００２４】
上部断熱パネル３１は、複合パネル１の重心より上に位置し、且つ断熱パネル１１の左右端を含んでいる。なお、断熱パネル１１は外壁パネル１０に比べ非常に軽いので、複合パネル１の重心は外壁パネル１０の重心にほぼ等しく、上部断熱パネルの位置や状態にほとんど影響されない。かかる構成により、上部断熱パネル３１を折り返し外壁パネル１０の上部領域１０ｂに吊りベルトを巻き付けて吊り上げた際に、複合パネル１の姿勢が安定し、吊りベルトと断熱パネル１０との接触が回避される。
【００２５】
下部断熱パネル３０には、それぞれ下部ボルト２０、上部ボルト２１が通る貫通孔３２、３３が設けられている。断熱パネル１１は、貫通孔３２、３３を下部ボルト２０や上部ボルト２１に嵌め込むことで外壁パネル１０の裏面の所定の位置に保持される。
【００２６】
次に、以上のように構成された複合パネル１の軸組への取り付け方法について説明する。
【００２７】
先ず、例えば建築現場の空地や搬送用トラックの荷台等に、裏面を上にした状態で置かれた外壁パネル１０に対し、下部ボルト２０と上部ボルト２１を取り付け、外壁パネル１０の裏面に断熱パネル１１を取り付ける。この際、下部断熱パネル３０の貫通孔３２、３３の位置と、下部ボルト２０、上部ボルト２１の位置を夫々合わせ、下部断熱パネル３０のみをステープル等で外壁パネル１０の裏面に固定する。上部断熱パネル３１は、連結部Ｃを軸として下部断熱パネル３０に対して折り返し自在にする。なお、ここまでの工程の一部あるいは全てを工場等において予め済ませた上で、建築現場に搬入してもよい。
【００２８】
次に、例えば図３に示すように上部断熱パネル３１を折り返し、外壁パネル１０の裏面の上部領域１０ｂを露出させる。
【００２９】
続いて、図４に示すようにクレーン用の吊りベルト（ナイロン等の合成繊維からなるスリングベルト）４０を、上部断熱パネル３１が折り返されて露出している外壁パネル１０の上部領域１０ｂに巻きつける。その後、クレーンのフックに吊りベルト４０のリング状の端部を引っ掛けて複合パネル１を吊り上げる。このとき、吊りベルト４０の巻き付け位置は複合パネル１の重心よりも上に位置しているので、複合パネル１の体勢は安定する。
【００３０】
次に、複合パネル１を図５に示すように軸組Ａの所定位置まで移動させ、下部梁の下フランジに固定された下部取り付け部５０上に置く。この下部取り付け部５０は、複合パネル１の荷重を支持するとともに高さ方向位置を規定する複合パネル支持部としての水平片５０ａと、複合パネル１の下端部の厚さ方向の位置を規定する鉛直片５０ｂとを有している。複合パネル１は、水平片５０ａ上に置かれて支持させる。このとき、複合パネル１の上部は、上部梁と離隔した状態（複合パネル１が斜めの状態）を維持する。
【００３１】
その後、複合パネル１を作業員等の他の支持手段で支えた状態で、図６に示すように吊りベルト４０を取り外す。そして、折り返されていた上部断熱パネル３１を、連結部Ｃを軸として回動させて正規の位置に戻し、外壁パネル１０の上部領域１０ｂを上部断熱パネル３１で覆う。
【００３２】
その後、図７に示すように複合パネル１を起立させ、軸組Ａの下部取り付け部５０の鉛直片５０ｂと、上部梁の下フランジに固定された上部取り付け部６０に断熱パネル１を当接させる。この上部取り付け部６０は、例えば複合パネル１の上部側の厚さ方向の位置を規定する鉛直片６０ａを有している。断熱パネル１１は、この鉛直片６０ａに当接する。次に、鉛直片５０ｂを挟んだ状態で、裏当てプレート７０を下部ボルト２０に挿入し、その外側からナット７１を下部ボルト２０にねじ入れて締め付ける。また、鉛直片６０ａを挟んだ状態で、裏当てプレート７２が上部ボルト２１に挿入され、その外側からナット７３が上部ボルト２１に嵌め込まれて締め付けられる。こうして、複合パネル１が軸組Ａに固定される。
【００３３】
図８に示すように複数の複合パネル１を順次軸組Ａに取り付け、建物の壁面を形成する。
【００３４】
以上の実施の形態によれば、複合パネル１の軸組Ａへの取り付け作業において外壁パネル１０を吊り上げる際に、上部断熱パネル３１を折り返してできた外壁パネル１０の露出部分に吊りベルト４０を巻き付けることができる。これにより、吊りベルト４０が断熱パネル１１に接触することが回避でき断熱パネル１１の圧壊を防止できる。
【００３５】
また、外壁パネル１０の裏面には、下部ボルト２０と上部ボルト２１が設けられ、折り返し自在な上部断熱パネル３１が、上部ボルト２１よりも上方、すなわち複合パネル１の固定部のない領域にあるので、上部断熱パネル３１の折り返しや展開を下部ボルト２０や上部ボルト２１と干渉することなく容易に行うことができる。また、上部断熱パネル３１を連結部Ｃを軸として回動させる際の上部断熱パネル３１の回転半径が小さくなるので、例えば図６に示すような吊りベルト４０を外し上部断熱パネル３１を正規の位置に戻す際に必要な外壁パネル１０の傾斜角を小さくすることができ、外壁パネル１０を支持する手段の負担を小さくし作業の安全性を向上させことができる。
【００３６】
以上の実施の形態において、複合パネル１には、軸組Ａに取り付けられた断熱パネル１１の圧壊を防止する圧壊防止部材が設けられていてもよい。かかる場合、例えば図９に示すように圧壊防止部材８０、９０が、複合パネル１の中央のボルトの固定部Ｐと、固定部Ｐを挟んだ両端部Ｂに設けられるのが好ましい。
【００３７】
例えば図１０に示すように上部の固定部Ｐにおける圧壊防止部材８０は、例えば円筒状に形成され、貫通孔３３に嵌め込まれている。圧壊防止部材８０は、断熱パネル１１の厚みよりもわずかに長く、一端が外壁パネル１０に当接し他端が裏当てプレート７２に当接している。同様に下部の固定部Ｐにおける圧壊防止部材８０は、貫通孔３２に嵌め込まれ、他端が裏当てプレート７０に当接している。
【００３８】
また、図９に示すように両端部Ｂは、鉛直片５０ｂ、６０ａの先端付近に位置し、一部が鉛直片５０ｂ、６０ａに隠れている。図１１に示すように両端部Ｂの断熱パネル１１には、貫通孔９１が形成されている。圧壊防止部材９０は、例えば円筒状に形成され、貫通孔９１に嵌め込まれている。圧壊防止部材９０は、断熱パネル１１の厚みよりも長く、一端が外壁パネル１０に当接し他端が鉛直片５０ｂ（図示せず）や鉛直片６０ａに当接している。また、圧壊防止部材９０の外壁パネル１０側の端部には、鍔部９０ａが設けられている。
【００３９】
圧壊防止部材８０、９０は、例えば塩化ビニル等の硬質の合成樹脂により形成されている。なお、圧壊防止部材８０、９０の材質は、強度及び耐久性があり且つ熱橋となりにくい材料であれば硬質の合成樹脂には限定されない。
【００４０】
例えば強風等により外壁パネル１０に不規則で偏った外力が作用した際には、固定部Ｐを支点として外壁パネル１０が前後に動こうとする。本実施の形態によれば、このとき外壁パネル１０に作用した外力が、圧壊防止部材８０、９０を介して裏当てプレート７０、７２や鉛直片５０ｂ、６０ａにかかり、断熱パネル１１には作用しない。この結果、断熱パネル１１に圧縮力がかかることがなく、断熱パネル１１の圧壊を防止できる。
【００４１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４２】
例えば以上の実施の形態において、外壁パネル１０と、軸組Ａの取り付け部５０、６０との固定手段は、他の手段を用いてもよい。例えば、上部ボルト２１、下部ボルト２０には、中間部に鍔を有し鍔の前後でネジの切り方が逆となっている特殊な固定ボルト（トルクレスボルト）を用い、当該鍔を外壁パネル１０の裏面に接触するようにねじ入れ、当該鍔とナット７１、７３で断熱パネル１１及び裏当てプレート７０、７２を挟むようにしてもよい。また、圧壊防止部材８０を省略し、トルクレスボルトをその鍔が断熱パネル１１の裏面に接触する位置までねじ入れ、裏当てプレート７０、７２を鍔とナット７１、７３で挟むようにしてもよい。また、以上の実施の形態では、外壁パネル１０の裏面に下部ボルト２０と上部ボルト２１が設けられ、断熱パネル１１の折り返し片分が上部ボルト２１よりも上部にあったが、上部ボルト２１よりも下部にある場合にも本発明は適用できる。
【００４３】
また、折り返し片や連結片（回動軸）位置や数は上記の実施の形態に限定はされない。例えば、図１２に示すように断熱パネル１１を上下方向に３分割し中間の断熱パネル１００を折り返し片とし、その下辺（下部断熱パネルとの間）に連結部Ｃを設けてもよい。また、図１３（ａ）、（ｂ）に示すように上端寄りの部分を横方向に３分割し両端の断熱パネル１１０を折り返し片とし、その下辺または側辺に連結部Ｃを設けてもよい。
【産業上の利用可能性】
【００４４】
本発明は、複合パネルを軸組に取り付ける際の断熱パネルの圧壊を防止する際に有用である。
【符号の説明】
【００４５】
１  複合パネル
１０  外壁パネル
１１  断熱パネル
２０  下部ボルト
２１  上部ボルト
３０  下部断熱パネル
３１  上部断熱パネル
３２、３３  貫通孔
４０  吊りベルト
５０  下部取り付け部
６０  上部取り付け部
７０、７２  裏当てプレート
７１、７３  ナット
Ａ  軸組
Ｃ  連結部
【図１】
0005710960.tif 000002
【図２】
0005710960.tif 000003
【図３】
0005710960.tif 000004
【図４】
0005710960.tif 000005
【図５】
0005710960.tif 000006
【図６】
0005710960.tif 000007
【図７】
0005710960.tif 000008
【図８】
0005710960.tif 000009
【図９】
0005710960.tif 000010
【図１０】
0005710960.tif 000011
【図１１】
0005710960.tif 000012
【図１２】
0005710960.tif 000013
【図１３】
0005710960.tif 000014